(57)【要約】【課題】パック容器の裏底面に突起を設けることによって、パック容器の裏底面とトレーの底面との間に空隙を確保するものである。その結果、パック容器の底面がトレーの底面に接触することなく、青果物の重みで段積みの青果物が潰されて傷まないように工夫されたトレー容器を提供する。また、トレーに対して衝撃が加わる過程で、突起が潰れ、座屈するショックアブソーバのような作用をし、苺等青果物の損傷を最小限に止めるようなトレー容器を提供することを目的とする。【解決手段】青果等のパック容器１において、このパック容器１は側壁２、底３および縁４から構成されるとともに、突起５が前記底３の裏面に配設されることを特徴とするパック容器。【選択図】      図５
2005126123.tif 000002
【特許請求の範囲】
【請求項１】
青果等のパック容器１において、このパック容器１は側壁２、底３および縁４から構成されるとともに、突起５が前記底３の裏面に配設されることを特徴とするパック容器。
【請求項２】
前記突起５の先端部は、球面状であって耐衝撃性に優れることを特徴とする請求項１記載のパック容器。
【請求項３】
前記突起５が、前記底３の裏面に複数箇所配設されることを特徴とする請求項１記載のパック容器。
【請求項４】
前記突起５が、前記底３の裏面周縁部に沿って連続して配設されることを特徴とする請求項１記載のパック容器。
【発明の詳細な説明】
【技術分野】
【０００１】
本発明は、苺や葡萄等の青果物を入れて店頭に並べて販売するためのパック容器に関する。詳しくは、パック容器の裏底面に突起を設け、パック容器の底面をトレーの底から浮かすことにより、青果物の重みで段積みの青果物が潰されて傷まないように工夫されたパック容器に関する。
【背景技術】
【０００２】
従来からパック容器として、ＰＥＴ樹脂などによる透明のプラスチック製容器が広く普及している。この容器に苺、葡萄等の果物や、カリフラワー、パセリ等の生鮮野菜、その他、惣菜類、食肉等をパックして、内容物が見えるように透明のフイルムでラッピングしてこれを店頭に並べて販売する形態がとられている。図１に青果等を入れる表側から見たパック容器を示す。パック容器１は、側壁２、底３および縁４を形成する横縁４２、隅縁４３、縦縁４４から構成される。図２はパック容器１の裏底面側から見た斜視図で、底３は全体的に平坦状である。
【０００３】
このようなパック容器の使用態様について、先ず、トレーのパック受け台について説明する。図３には、トレー１１の四半区画の一つに、パック容器１を載せた状態を示す。上記したように、図１のパック容器１は、側壁２、底３、横縁４２、隅縁４３および縦縁４４から構成される。図３に示すように、トレーの四隅に形成される支持片１４はパック容器１の隅縁４３を受け、トレーの縦仕切片１８の両端に形成される支持片１５はパック容器１の隅縁４３を受け、そして、トレーの横仕切片１６の頂面１７は横縁４２を受ける。このようにして、トレー１１の四半区画毎にパック受け台が形成される。ここで、それぞれ、トレーの支持片および頂面の、トレーの底１３からの高さ寸法は、パック容器１の深さ寸法より大きい。そのため、パック容器１の縁４は、トレー１１の支持片１４と支持片１５および頂面１７とで支えられながら、パック容器１の底３は、トレー１１の底１３に接触することなく、浮いた状態を保つことができる。
【０００４】
以上のような使用態様では、苺等青果の重みが直接青果自体に掛からないように、そして、段積みの青果が押し潰されて傷まないようにするため、パック容器１の底３を浮いた状態に保つ必要がある。そのため、トレー１１には側壁１２の他に、支持片１４と支持片１５および横仕切片１６の頂面１７から形成されるパック受け台を別途設ける必要があった。その結果、トレー１１の構造が複雑になり、トレーの製造費用が高くなるという問題が生じた。また、受け台を設けたトレー１１は、このようなパック容器専用のトレーとして使用せざるを得ないという不経済な面もあった。
【発明の開示】
【発明が解決しようとする課題】
【０００５】
本発明は、上記事情に鑑みて、パック容器の裏底面に突起を設けることによって、パック容器の裏底面とトレーの底面との間に空隙を確保するものである。その結果、パック容器の底面がトレーの底面に接触することなく、青果物の重みで段積みの青果物が潰されて傷まないように工夫されたトレー容器を提供する。また、トレーに対して衝撃が加わる過程で、突起が潰れ、座屈するショックアブソーバのような作用をし、苺等青果物の損傷を最小限に止めるようなトレー容器を提供することを目的とする。
【課題を解決するための手段】
【０００６】
上記目的を達成するために、請求項１の発明は、青果等のパック容器１において、このパック容器１は側壁２、底３および縁４から構成されるとともに、突起５が前記底３の裏面に配設されることを特徴とすることを特徴とする。
【０００７】
また、請求項２の発明は、請求項１の発明の上記特徴に加えて、前記突起５の先端部が球面状であって耐衝撃性に優れることを特徴とする。
【０００８】
また、請求項３の発明は、請求項１の発明の上記特徴に加えて、前記突起５が、前記底３の裏面に複数箇所配設されることを特徴とする。
【０００９】
また、請求項４の発明は、請求項１の発明の上記特徴に加えて、前記突起５が、前記底３の裏面周縁部に沿って連続して配設されることを特徴とする。
【発明の効果】
【００１０】
パック容器の裏底面に突起を配設することによって、パック容器の裏底面とトレーの底面との間に空隙を確保して、パック容器の底を浮かせるようにしたものであり、青果物自体の重みで段積みの青果物が潰されて傷むことがないような効果を奏するものである。また、トレーに対して衝撃が加わる過程で、突起が潰れ、座屈するショックアブソーバのような作用をするので、苺等青果物の損傷を最小限に止める効果がある。
【発明を実施するための最良の形態】
【００１１】
本発明の実施の形態を、添付図面に例示した本発明の実施例に基づいて以下に具体的に説明する。
【実施例１】
【００１２】
先ず、本発明の第一実施例ついて、図４〜図８を参照しながら説明する。図４は、青果等を入れる表側から見たパック容器の斜視図である。図５は、裏底面側から見たパック容器の斜視図である。図６は、パック容器の裏底面に配設した突起の先端が潰れ、座屈した状態の斜視図である。図７は、突起の内周側エッジ部を示す一部断面図である。図８は、トレーの区画の一箇所にパック容器を直置きした状態を示す斜視図である。
【００１３】
図４および図５に示すように、パック容器１は、側壁２、底３、縁４から構成され、そして、底３の裏面側の四隅に先端部が球面状の突起５を設けている。ここで、突起５は、パック容器１の苺等青果を入れる側とは反対の裏底面に配設する。他の実施例についても同様である。また、縁４は横縁、隅縁および縦縁から構成され、他の実施例についても同様である。図６には、パック容器１の中に入れた苺等青果の重みによって、裏底面に設けた突起の先端が潰れ、座屈して突起平坦部６が四隅に形成された状態を示す。                
【００１４】
本実施例のパック容器は以上のように構成され、以下に作用について説明する。
【００１５】
パック容器１の底３の裏面に形成される球面状の突起５によって、パック容器１の底３は、トレー１１の底１３に接触することなく、浮いた状態を保つことができる。その結果、パック容器１の底３とトレー１１の底１３との間に空隙を確保して、青果物の重みで段積みの青果物が潰されて傷むことがないような効果を奏するものである。
【００１６】
また、図８に示すように、パック容器１をトレー１１の底１３に直置きできる。そのため、トレーに、パック受け台を設ける必要がなく、トレーの構造が簡単になり製造費用が安くなる。また、受け台を設けたトレーは、このパック容器専用のトレーとして使用せざるを得ないという不経済な問題も解消される。
【００１７】
その他、図６に示すように、パック容器１の中に入れた苺等青果の重みによって、裏底面に設けた球面状の突起の先端部が潰れ、突起平坦部６が四隅に形成される。ここで、突起平坦部６は、突起の先端部が程よく潰れ、局部的には凸凹を有するが、座屈して全体的にすわりのよい平坦状のものである。このことによって、パック容器１が、これらの突起で支えられるので、パック容器１を置いた状態が安定する効果がある。また、突起５の先端は、中の苺等青果の重みによって潰れ、あるいはトレーに対して衝撃が加わる過程で潰れ、座屈するショックアブソーバのような作用をするので、苺の損傷を最小限に止める効果がある。即ち、突起５の先端部が球面状を形成するので、苺等青果用として耐衝撃性に優れるパック容器として有用である。
【００１８】
パック容器の用途として、苺、葡萄等の果物や、カリフラワー、パセリ等の生鮮野菜、その他惣菜類、食肉、刺身等をパック容器に入れ、内容物が見えるように透明のフイルムでラッピングしてこれを店頭に並べて販売する形態がとられている。この場合、中の物を見え易くするため、パック容器の底の裏面に突起物を設けてパック容器の表面を手前側へ傾斜、起して使用することがある。これに対し、本第実施例の突起は、パック容器の底がトレーの底に接触することなく、浮いた状態を保つように機能するものであり、また、トレーに衝撃が加わる過程で、ショックアブソーバのような作用をするものである。本第実施例のものは上記したような傾斜させる突起とは異なる。
【００１９】
本実施例の突起の先端部は球面状を形成するが、衝撃が加わる過程で潰れ、座屈して、ショックアブソーバのような作用をするものであれば楕円状のであっても構わない。
【００２０】
図７に示すように突起５の内周側エッジＥ部は、鋭角あるいは直角ではなく、可能な限り滑らかな曲面が形成されることが望ましい。このようにして、苺等青果がエッジＥ部に接触して傷むのを避けることができる。下記に説明する他の実施例についても同様である。
【実施例２】
【００２１】
次に、本発明の他の実施例ついて、図９〜図１２を参照しながら説明する。いずれも、裏底面側から見た、パック容器の斜視図である。
【００２２】
以下の実施例の第一実施例との主たる相違点は、パック容器の裏底面に配設された突起の形状あるいは配置が異なるところにある。
【００２３】
先ず、図９は、パック容器１の裏底面に突起５を五箇所、即ち、底面の隅部と底面の中心部に一箇所配設したものである。突起５を裏底面の中心部に設けているので、苺等青果がパック容器１の中心部に詰まっていても、その重みで底３が屈曲してトレー１１の底１３にパック容器１の底３が接触する恐れが無く、苺が傷まない。図１０は、パック容器１の裏底面に突起５を六箇所、即ち、隅部と隅部との間に二箇所突起５を付加したものである。この場合も苺がパック容器１の中心部に詰まっていても、間に突起５を付加したので、苺の重みでパック容器１の底３が屈曲してトレー１１の底１３に接触する恐れが無く、苺が傷まない。ここで、図９および図１０に示した突起５の先端部は、球面状を形成するものである。
【００２４】
図１１は、パック容器１の裏底面に突起５を四箇所配設したもので、突起５は角錐台状でその先端は突起平坦部６を有する。従って、トレー１１の底１３にパック容器１を直置きした際、パック容器１のすわり、即ち安定感が良好である。図１２は、突起５をパック容器１の裏底面の周縁に沿って連続して設けたもので、突起５の先端は突起平坦部６を有する。従って、トレー１１の底１３にパック容器１を直置きした際、パック容器１のすわり、即ち安定感が前１１図のものより更に良好である。ここで、図１１および図１２の突起平坦部６は曲面を形成するものでもよく、全体的に平坦状で、すわりのよいものであればよい。また、図１１および図１２の突起平坦部６を有するパック容器１は、突起先端部の潰れ量が球面状のものより小さいので耐衝撃性の点で、苺より重い物を入れる場合に効果がある。
【産業上の利用可能性】
【００２５】
なお、本発明の使途は、苺、杏、サクランボ、無花果、枇杷等の青果用のパック容器に限らず、卵、菓子等の用途に使っても勿論よい。
【図面の簡単な説明】
【００２６】
【図１】従来例を示すもので、パック容器の斜視図である。
【図２】同上、パック容器の裏底面側から見た斜視図である。
【図３】同上、トレーの区画の一つに、パック容器を載せた状態を示す斜視図である。
【図４】本発明の実施例に係わるパック容器の斜視図である。
【図５】同上、パック容器の裏底面に設けた突起を示す斜視図である。
【図６】同上、パック容器の裏底面に設けた突起の先端部が潰れた状態を示す斜視図である。
【図７】同上、パック容器の裏底面に設けた突起の先端部の一部断面図である。
【図８】同上、トレーの区画の一つに、パック容器を直置きした状態を示す斜視図である。
【図９】本発明の他の実施例に係わる、パック容器の裏底面側から見た斜視図である。
【図１０】同上、パック容器の裏底面側から見た斜視図である。
【図１１】同上、パック容器の裏底面側から見た斜視図である。
【図１２】同上、パック容器の裏底面側から見た斜視図である。
【符号の説明】
【００２７】
１  パック容器
２  側壁
３  底
４  縁
４２  横縁
４３  隅縁
４４  縦縁
５  突起
６  突起平坦部
１１  トレー  
１２  側壁
１３  底
１４  支持片
１５  支持片
１６  横仕切片
１７  頂面
１８  縦仕切片
Ｅ  エッジ
【図１】
2005126123.tif 000003
【図２】
2005126123.tif 000004
【図３】
2005126123.tif 000005
【図４】
2005126123.tif 000006
【図５】
2005126123.tif 000007
【図６】
2005126123.tif 000008
【図７】
2005126123.tif 000009
【図８】
2005126123.tif 000010
【図９】
2005126123.tif 000011
【図１０】
2005126123.tif 000012
【図１１】
2005126123.tif 000013
【図１２】
2005126123.tif 000014